(57)【特許請求の範囲】
【請求項１】
撮影光学系を介して入射された光束に基づいて被写体を撮像し、撮像画像を取得する撮像手段と、
前記撮像画像に基づく前記被写体のスルー画像を表示モニタに表示するための表示用画像データを生成する生成手段と、
撮影者によって操作されるための複数の操作部材を有する操作手段と、
指定された焦点調節エリアを対象に前記撮影光学系の焦点調節を行う焦点調節手段と、
前記撮像画像のホワイトバランスを調節するホワイトバランス調節手段と、
前記撮像手段、前記生成手段、前記操作手段、前記焦点調節手段、および前記ホワイトバランス調節手段を制御する制御手段とを備え、
前記制御手段は、料理を撮影するための料理モードが選択されると、前記焦点調節手段による前記撮影光学系の焦点調節をマクロモードに設定し、撮影時のフラッシュ発光を禁止し、前記焦点調節エリアを前記撮影者による前記操作部材の操作に応じて変更可能に設定し、前記表示モニタに前記スルー画像を表示した状態で、前記ホワイトバランス調節手段による前記撮像画像のホワイトバランス調節の度合いを前記撮影者による前記操作部材の操作に応じて変化可能に設定し、前記ホワイトバランス調節の度合いを変化可能な状態で、前記撮影者が行う撮影の操作に応じて、前記撮像画像を記録媒体へ記録することを特徴とするデジタルカメラ。
【請求項２】
請求項１に記載のデジタルカメラにおいて、
前記生成手段は、前記撮影者が行う前記操作手段の操作に応じた前記撮像画像のホワイトバランスの調節度合いの変化状態を前記スルー画像と共に表示するための表示用画像データを生成することを特徴とするデジタルカメラ。
【請求項３】
請求項１または２に記載のデジタルカメラにおいて、
前記制御手段は、前記所定の撮影モードが選択されると、前記表示手段に表示された前記スルー画像上で前記撮影者による前記操作部材の操作に応じて変更された前記焦点調節エリアを対象に、前記焦点調節手段により前記撮影光学系の焦点調節を行うように制御することを特徴とするデジタルカメラ。
【請求項４】
請求項１〜３のいずれか一項に記載のデジタルカメラにおいて、
前記撮像画像の色調を調節する色調調節手段をさらに備え、
前記制御手段は、前記所定の撮影モードが選択されると、前記撮像画像の色調を強調するように前記色調調節手段を制御することを特徴とするデジタルカメラ。
【発明の詳細な説明】
【技術分野】
【０００１】
本発明はデジタルカメラに関する。
【背景技術】
【０００２】
従来、撮影状況を判断して自動的にホワイトバランスを調節するデジタルカメラが知られている（特許文献１参照）。
【０００３】
【特許文献１】特開２００６−１５７３１６号公報
【発明の開示】
【発明が解決しようとする課題】
【０００４】
特許文献１に開示されるデジタルカメラでは、撮影時の照明環境によっては、撮影者の意図に合わせて適切にホワイトバランスを調節するのが困難な場合がある。
【課題を解決するための手段】
【０００５】
請求項１の発明によるデジタルカメラは、撮影光学系を介して入射された光束に基づいて被写体を撮像し、撮像画像を取得する撮像手段と、撮像画像に基づく被写体のスルー画像を表示モニタに表示するための表示用画像データを生成する生成手段と、撮影者によって操作されるための複数の操作部材を有する操作手段と、指定された焦点調節エリアを対象に撮影光学系の焦点調節を行う焦点調節手段と、撮像画像のホワイトバランスを調節するホワイトバランス調節手段と、撮像手段、生成手段、操作手段、焦点調節手段、およびホワイトバランス調節手段を制御する制御手段とを備え、制御手段は、料理を撮影するための料理モードが選択されると、焦点調節手段による撮影光学系の焦点調節をマクロモードに設定し、撮影時のフラッシュ発光を禁止し、焦点調節エリアを撮影者による操作部材の操作に応じて変更可能に設定し、表示モニタにスルー画像を表示した状態で、ホワイトバランス調節手段による撮像画像のホワイトバランス調節の度合いを撮影者による操作部材の操作に応じて変化可能に設定し、ホワイトバランス調節の度合いを変化可能な状態で、撮影者が行う撮影の操作に応じて、撮像画像を記録媒体へ記録することを特徴とするものである。
請求項２の発明は、請求項１に記載のデジタルカメラにおいて、生成手段は、撮影者が行う操作手段の操作に応じた撮像画像のホワイトバランスの調節度合いの変化状態をスルー画像と共に表示するための表示用画像データを生成するものである。
請求項３の発明は、請求項１または２に記載のデジタルカメラにおいて、制御手段は、所定の撮影モードが選択されると、表示手段に表示されたスルー画像上で撮影者による操作部材の操作に応じて変更された焦点調節エリアを対象に、焦点調節手段により撮影光学系の焦点調節を行うように制御するものである。
請求項４の発明は、請求項１〜３のいずれか一項に記載のデジタルカメラにおいて、撮像画像の色調を調節する色調調節手段をさらに備え、制御手段は、所定の撮影モードが選択されると、撮像画像の色調を強調するように色調調節手段を制御するものである。
【発明の効果】
【０００６】
本発明によれば、撮影時の照明環境に関わらず、撮影者の意図に合わせて適切にホワイトバランスを調節することができる。
【発明を実施するための最良の形態】
【０００７】
本発明の一実施の形態によるデジタルカメラの構成を図１に示す。デジタルカメラ１は、撮影光学系２、光学部品３、撮像素子４、アナログ信号処理部５、Ａ／Ｄ変換部６、タイミング制御部７、画像処理部８、レンズ駆動部９、操作部１０、フラッシュ１１、制御部１２、メモリ１３、圧縮／伸長部１４、表示画像生成部１５、液晶ディスプレイ１６、メモリカード用インタフェース部１７、および外部インタフェース部１８を備える。Ａ／Ｄ変換部６、画像処理部８、制御部１２、メモリ１３、圧縮／伸長部１４、表示画像生成部１５、メモリカード用インタフェース部１７、および外部インタフェース部１８は、バス２０を介して相互に接続されている。
【０００８】
撮影光学系２は、複数の光学レンズ群よりなる撮影レンズや、絞り、シャッター等によって構成される。光学部品３は、光学フィルタやカバーガラスなどによって構成される。撮影光学系２を介して入射された被写体からの光束は、光学部品３を通過した後、撮像素子４上に結像される。
【０００９】
撮像素子４は、複数の画素から構成される矩形形状の撮像領域を有しており、撮影光学系２によって結像された光束による受光量に応じた電荷を画素毎に蓄積する。そして、蓄積した電荷に応じた信号を撮像画像信号として画素単位で順次アナログ信号処理部５に出力する。これにより、撮像素子４において、撮影光学系２を介して入射された光束に基づいて被写体が撮像され、撮像画像が取得される。そして、取得した撮像画像に応じた撮像画像信号が撮像素子４から出力される。なお、撮像素子４は、例えば単板式カラーＣＣＤなどで構成される。
【００１０】
アナログ信号処理部５は、内部にＣＤＳ（相関２重サンプリング）回路や、ＡＧＣ（オートゲインコントロール）回路などを有し、撮像素子４から出力された撮像画像信号に対して所定のアナログ処理を行う。Ａ／Ｄ変換部６は、アナログ信号処理部５で処理されたアナログ信号をデジタル信号に変換して、撮像画像データを生成する。タイミング制御部７は、制御部１２により制御され、撮像素子４、アナログ信号処理部５、Ａ／Ｄ変換部６、および画像処理部８の各動作のタイミングを制御する。
【００１１】
画像処理部８は、Ａ／Ｄ変換部６によって生成された撮像画像データに対して所定の画像処理を行う。この画像処理には、後で説明するオートホワイトバランス処理や、色調調節処理などが含まれる。画像処理部８による画像処理が完了した撮像画像データは、制御部１２の制御により、圧縮／伸長部１４において所定の画像圧縮処理が必要に応じて施された後、表示画像生成部１５またはメモリカード用インタフェース部１７に出力される。画像処理部８は、画像処理専用の１チップ・マイクロプロセッサなどを用いて構成することができる。
【００１２】
レンズ駆動部９は、撮影光学系２の撮影レンズを駆動することにより、撮影光学系２の焦点調節を行う。レンズ駆動部９の動作は、制御部１２により制御される。操作部１０は、後述するような各種の操作ボタン類よりなる操作部材を有しており、撮影者が行う操作を検出して制御部１２へ出力する。フラッシュ１１は、撮影時に発光して被写体を照明する。フラッシュ１１の発光動作は、制御部１２により制御される。
【００１３】
制御部１２は、デジタルカメラ１の各部の動作を制御する。たとえば、前述のようにタイミング制御部７やレンズ駆動部９、フラッシュ１１の動作を制御したり、バス２０を介して接続された各部の間で行われる画像データの入出力を制御したりする。また、撮影者による操作部１０の操作を検出して、その操作内容に応じた動作を行うように各部の制御を行う。
【００１４】
メモリ１３には、デジタルカメラ１の制御用ソフトウェアなどが記録されており、必要に応じて制御部１２により読み出される。メモリ１３は、たとえばフラッシュメモリなどを用いて構成される。圧縮／伸長部１４は、撮像画像データに対する画像圧縮処理および画像伸張処理を行う。
【００１５】
表示画像生成部１５は、液晶ディスプレイ１６に各種の画像を表示するための表示用画像データを生成する。撮影者からの撮影指示が行われる前は、制御部１２の制御により、撮像素子４によって取得され、被写体画像処理部８によって画像処理が行われた撮像画像データが、表示画像生成部１５へ所定のフレームレート間隔で連続的に出力される。表示画像生成部１５は、この撮像画像データに基づいて表示用画像データを生成し、液晶ディスプレイ１６に出力する。これにより、撮像素子４により取得された撮像画像に基づく被写体のスルー画像をリアルタイムで液晶ディスプレイ１６に表示するための表示用画像データが表示画像生成部１５において生成され、液晶ディスプレイ１６へ出力される。
【００１６】
液晶ディスプレイ１６は、表示画像生成部１５から出力された表示用画像データに基づく画像を表示するための表示用モニタである。なお、液晶ディスプレイ１６には、スルー画像以外にも、撮影者がデジタルカメラ１を操作するための所定の操作画面を表示したり、メモリカード１９に格納された撮影済み画像を再生表示したりすることができる。
【００１７】
メモリカード用インタフェース部１７は、デジタルカメラ１の内部にセットされたメモリカード（カード状のリムーバブルメモリ）１９とのインタフェース処理を行う。撮影者からの撮影指示が行われると、制御部１２の制御により、撮像素子４によって取得され、被写体画像処理部８によって画像処理が行われた撮像画像データが、メモリカード用インタフェース部１７へ出力される。メモリカード用インタフェース部１７は、この撮像画像データを撮影済み画像としてメモリカード１９に記録する。これにより、撮影済み画像がメモリカード１９に格納される。
【００１８】
外部インタフェース部１８は、デジタルカメラ１に接続される外部装置とのインタフェース処理をＵＳＢなど所定の信号規格にしたがって行う。デジタルカメラ１に接続される外部装置は、たとえばパーソナルコンピュータなどである。この接続は、所定のケーブルを介して、または無線通信により行われる。
【００１９】
デジタルカメラ１の外観図を図２に示す。図２は、デジタルカメラ１を背面方向から見た外観図を示している。デジタルカメラ１の背面には、液晶ディスプレイ１６と、ズームボタン１０２、お気に入りボタン１０３、再生ボタン１０４、マルチセレクタ１０５、メニューボタン１０６および削除ボタン１０７が配置されている。また、デジタルカメラ１の上部にはシャッターボタン１０１が配置されている。シャッターボタン１０１、ズームボタン１０２、お気に入りボタン１０３、再生ボタン１０４、マルチセレクタ１０５、メニューボタン１０６および削除ボタン１０７の各操作ボタンは、いずれも図１の操作部１０を構成する操作部材である。
【００２０】
シャッターボタン１０１は、デジタルカメラ１に対する撮影指示操作などに用いられる操作ボタンである。デジタルカメラ１が撮影可能な状態で撮影者がシャッターボタン１０１を全押し操作することにより、撮影画像が取得され、撮影済み画像としてメモリカード１９に記録される。なお、シャッターボタン１０１を半押し操作すると、撮影光学系２の焦点調節が行われる。
【００２１】
ズームボタン１０２は、撮影光学系２の焦点距離の変化などに用いられる操作ボタンである。このズームボタン１０２の操作に応じて、レンズ駆動部９により撮影光学系２の撮影レンズが駆動され、焦点距離が変化される。
【００２２】
お気に入りボタン１０３は、予め登録された特定のメニュー項目の呼び出しなどに用いられる操作ボタンである。再生ボタン１０４は、メモリカード１９に格納された撮影済み画像の再生表示などに用いられる操作ボタンである。
【００２３】
マルチセレクタ１０５は、上下左右の方向にそれぞれ対応する操作ボタンと、中心部に配置されたＯＫボタンより構成されており、液晶ディスプレイ１６における画像選択位置の移動や、選択結果の確定などに用いられる。たとえば、操作画面上で選択するメニュー項目を決定したり、後述するようにスルー画像上で焦点調節エリアの位置を変更したりする際などに、このマルチセレクタ１０５が用いられる。
【００２４】
メニュー画面１０６は、メニュー画面の呼び出しなどに用いられる操作ボタンである。削除ボタン１０７は、撮影済み画像の削除などに用いられる操作ボタンである。
【００２５】
デジタルカメラ１は、撮影者の操作などに応じて、撮影時に複数の撮影モードのうちいずれかを選択することができる。選択可能な撮影モードの中には、レストランなどで料理を撮影するのに適した「料理モード」がある。この料理モードが選択されると、デジタルカメラ１は料理を撮影するのに適した様々な設定を行う。たとえば、ビビッドカラーと呼ばれる色調設定を行って、画像処理部８により撮像画像の色調を強調することで被写体の色彩が鮮やかに表現されるようにしたり、撮影時の撮像素子４の感度（ＩＳＯ感度）を高感度側に設定したり、撮影時のフラッシュ１１の発光を禁止したり、撮影光学系２の焦点調節を近距離撮影に適したマクロモードで行うように設定したりする。また、撮影光学系２の焦点調節エリアの位置設定をマニュアル操作で行うように設定すると共に、暖色系の照明に適したオートホワイトバランス処理を撮像画像に対して行う。このときのホワイトバランス調節の度合いは、撮影者がマルチセレクタ１０５の上または下のボタンを操作することで、被写体のスルー画像を液晶ディスプレイ１６に表示した状態のままで容易に変化させることができる。
【００２６】
図２の外観図には、デジタルカメラ１において料理モードが設定されたときに液晶ディスプレイ１６に表示される画面の例を示している。この画面には、被写体である料理のスルー画像に重ねて、料理モードであることを示す料理モードアイコン１６１、マクロモードが設定されていることを示すマクロモードアイコン１６２、フラッシュ発光が禁止されていることを示すフラッシュ禁止アイコン１６３、オートホワイトバランス処理におけるホワイトバランス調節の度合いの変化状態を示すホワイトバランスインジケータ１６４、および焦点調節エリアの位置を示す焦点調節エリア枠１６５が表示されている。なお、これらを表示するための表示用画像データは、表示画像生成部１５により生成され、液晶ディスプレイ１６へ出力される。
【００２７】
図２の外観図に示す画面において、撮影者がマルチセレクタ１０５の上または下のボタンを操作すると、デジタルカメラ１は、前述のようにオートホワイトバランス処理におけるホワイトバランス調節の度合いを変化させる。たとえば、上のボタンを操作する度に、ホワイトバランスインジケータ１６４の指示位置を一段階上に移動させて高い色温度を設定し、反対に下のボタンを操作する度に、ホワイトバランスインジケータ１６４の指示位置を一段階下に移動させて低い色温度を設定する。こうして設定された色温度に対応する照明に適したホワイトバランスとなるように、画像処理部８においてオートホワイトバランス処理を行う。なお、ホワイトバランスインジケータ１６４には、ホワイトバランス調節の度合いを５段階に設定可能な様子が示されているが、設定可能な段数はこの限りではない。
【００２８】
上記のようにして色温度を設定する際に、照明の種類（蛍光灯、白熱灯、間接照明等）を撮影者に選択させるようにして、撮影に不慣れな撮影者でも適切な色温度を簡単に設定できるようにしてもよい。あるいは、撮像画像の色合い等に基づいて、ホワイトバランス調節の度合いを変化させる必要の有無をデジタルカメラ１が判断し、必要ありと判断したら撮影者へ上記のような操作を促すようにしてもよい。このとき、撮像画像全体についてＲ，Ｇ，Ｂ各色の割合を示すヒストグラムを作成し、これを液晶ディスプレイ１６に表示することで、撮影者が撮像画像の色合いを判断できるようにしてもよい。
【００２９】
また、撮影者がマルチセレクタ１０５のＯＫボタンを操作した後に上下左右いずれかのボタンを操作すると、デジタルカメラ１は、焦点調節エリア枠１６５の位置をスルー画像上で移動させる。これにより、移動後の焦点調節エリア枠１６５の位置に対応する焦点調節エリアを対象にして、撮影光学系２の焦点調節が行われる。すなわち、焦点調節エリア枠１６５によって指定された部分において被写体にピントが合うように、レンズ駆動部９によって撮影光学系２の焦点調節を行う。なお、料理モードが設定されているときには、シャッターボタン１０１が半押し操作されていなくても、このような撮影光学系２の焦点調節をスルー画像の表示中に繰り返し行うことが好ましい。
【００３０】
上記のような焦点調節エリア枠１６５を移動させての焦点調節エリアの選択中に、撮影者がマルチセレクタ１０５のＯＫボタンを操作すると、前述したようなホワイトバランス調節度合いの変化処理に戻る。すなわち、マルチセレクタ１０５のＯＫボタンを撮影者が操作する度に、ホワイトバランス調節度合いの変化処理と、焦点調節エリアの選択処理とが切り替えられる。
【００３１】
以上説明したように、撮影者が行うマルチセレクタ１０５の操作に応じて、ホワイトバランス調節の度合いを変化可能な状態、または焦点調節エリアを選択可能な状態で、撮影者がシャッターボタン１０１を半押し操作すると、デジタルカメラ１は、撮影光学系２の焦点調節を行い、被写体に正しくピントが合っているか否かを判定する。このとき正しくピントが合っていれば撮影を許可する。そして、シャッターボタン１０１が全押し操作されると、それに応じて撮影を実行し、取得した撮像画像をメモリカード１９へ記録する。
【００３２】
デジタルカメラ１において料理モードが選択されると、上記のようにして、料理を撮影するのに適した動作が行われる。このときのフローチャートを図３に示す。なお、図３のフローチャートは制御部１２によって実行される。
【００３３】
ステップＳ１０では、料理モードが選択されているか否かを判定する。料理モードが選択されている場合は、ステップＳ２０へ進む。ステップＳ２０では、撮影時のフラッシュ１１の発光を禁止する。ステップＳ３０では、マクロモードの設定を行う。こうしてマクロモードの設定を行うことで、撮影光学系２の焦点調節が近距離撮影に適したマクロモードで行われるようにする。
【００３４】
ステップＳ４０では、撮像画像の色調設定を行う。ここでは、前述したようにビビッドカラーと呼ばれる色調設定を行う。色調設定がビビッドカラーである場合、画像処理部８は、撮像画像の色調を強調してはっきりとした色合いとなるように調節する。その結果、被写体の色彩を鮮やかに表現して料理に適した撮像画像を得ることができる。
【００３５】
ステップＳ５０では、オートホワイトバランス設定を行う。ここでは、画像処理部８が行うオートホワイトバランス処理において、暖色系の照明に適したホワイトバランスとなるように設定する。ステップＳ６０では、ＩＳＯ感度の設定を行う。ここでは前述のように、ＩＳＯ感度を高感度側に設定する。ステップＳ７０では、焦点調節エリアの設定を行う。ここでは、予め設定された焦点調節エリア枠１６５の初期位置、たとえば撮像画像の中心にあわせて、焦点調節エリアを設定する。
【００３６】
ステップＳ８０では、レンズ駆動部９を用いて、撮影光学系２の焦点調節を行う。ここでは、現在の焦点調節エリア枠１６５の位置に対応する焦点調節エリアを対象にして、撮影光学系２の焦点調節を行う。ステップＳ９０では、撮像素子４を用いて被写体を撮像し、撮像画像を取得する。
【００３７】
ステップＳ１００では、画像処理部８を用いて、ステップＳ９０で取得した撮像画像に対して、オートホワイトバランス処理や色調調節などの画像処理を行う。ステップＳ１１０では、表示画像生成部１５を用いて、ステップＳ１００で画像処理が行われた撮像画像に基づくスルー画像を液晶ディスプレイ１６に表示する。
【００３８】
ステップＳ１２０では、シャッターボタン１０１が撮影者によって全押し操作されたか否かを判定する。シャッターボタン１０１が全押し操作された場合はステップＳ１３０へ進み、撮影を実行する。このとき、ステップＳ９０で取得した撮像画像が撮影済み画像としてメモリカード１９に記録される。ステップＳ１３０で撮影を実行したら、ステップＳ１４０へ進む。一方、ステップＳ１２０においてシャッターボタン１０１が全押し操作されていないと判定した場合は、ステップＳ１３０を実行せずにステップＳ１４０へ進む。なお、ステップＳ１３０において撮影が実行されるまでは、ステップＳ１１０の処理により、スルー画像が液晶ディスプレイ１６に表示されている。しかし、撮影を実行して撮影済み画像の記録を開始したら、次の撮影が可能となるまでスルー画像を消去して、撮影が実行されたことを撮影者に知らせるようにしてもよい。
【００３９】
ステップＳ１４０では、マルチセレクタ１０５のＯＫボタンが撮影者によって押されたか否かを判定する。ＯＫボタンが押された場合は、ステップＳ１７０へ進むことにより、焦点調節エリアの選択処理に切り替える。一方、ＯＫボタンが押されていない場合はステップＳ１５０へ進む。
【００４０】
ステップＳ１５０では、マルチセレクタ１０５の上または下のボタンが撮影者によって押されたか否かを判定する。上または下のボタンが押された場合はステップＳ１６０へ進み、その操作に応じてオートホワイトバランス処理の設定を変更する。この処理により、前述のようにしてオートホワイトバランス処理におけるホワイトバランス調節の度合いが変化されると共に、スルー画像上に表示されたホワイトバランスインジケータ１６４によってその変化状態が示される。ステップＳ１６０を実行したらステップＳ８０へ戻り、前述のような処理を繰り返す。一方、上または下のボタンが押されていない場合は、ステップＳ１６０を実行せずにステップＳ８０へ戻る。
【００４１】
ステップＳ１７０〜Ｓ２２０では、ステップＳ８０〜Ｓ１３０と同様の処理をそれぞれ実行する。すなわち、ステップＳ１７０において撮影光学系２の焦点調節を行い、ステップＳ１８０において撮像画像を取得し、ステップＳ１９０において撮像画像に対する画像処理を行い、ステップＳ２００においてスルー画像を表示する。そして、ステップＳ２１０においてシャッターボタン１０１が全押し操作されたか否かを判定し、全押し操作された場合は、ステップＳ２２０において撮影を実行する。
【００４２】
ステップＳ２３０では、マルチセレクタ１０５のＯＫボタンが撮影者によって押されたか否かを判定する。ＯＫボタンが押された場合は、ステップＳ８０へ戻ることにより、ホワイトバランス調節度合いの変化処理に切り替える。一方、ＯＫボタンが押されていない場合はステップＳ２４０へ進む。
【００４３】
ステップＳ２４０では、マルチセレクタ１０５の上下左右いずれかのボタンが撮影者によって押されたか否かを判定する。上下左右いずれかのボタンが押された場合はステップＳ２５０へ進み、その操作に応じて焦点調節エリアを変更する。このとき、前述のようにして焦点調節エリア枠１６５がスルー画像上で移動され、移動後の焦点調節エリア枠１６５の位置により焦点調節エリアが指定される。こうして指定された焦点調節エリアを対象に撮影光学系２の焦点調節が行われる。ステップＳ２５０を実行したらステップＳ１７０へ戻り、前述のような処理を繰り返す。一方、上下左右いずれかのボタンが押されていない場合は、ステップＳ２５０を実行せずにステップＳ１７０へ戻る。
【００４４】
以上説明した実施の形態によれば、次のような作用効果を奏する。
（１）デジタルカメラ１において料理モードが選択されると、制御部１２は、液晶ディスプレイ１６にスルー画像を表示した状態で、撮影者が行うマルチセレクタ１０５の上または下のボタンの操作に応じて、画像処理部８が行うオートホワイトバランス処理における撮像画像のホワイトバランス調節の度合いを変化させる（ステップＳ１６０）。したがって、撮影者は被写体のスルー画像を液晶ディスプレイ１６に表示した状態のままで、他のメニュー画面などを呼び出すことなく、ホワイトバランス調節の度合いを容易に変化させることができる。その結果、撮影時の照明環境に関わらず、撮影者の意図に合わせて適切にホワイトバランスを調節することができる。
【００４５】
（２）料理モードが選択されると、制御部１２は、ステップＳ１６０において撮像画像のホワイトバランス調節の度合いを変化可能な状態で、撮影者が行うシャッターボタン１０１の全押し操作に応じて、撮影を実行して撮像画像をメモリカード１９へ記録する（ステップＳ１３０）。このようにしたので、撮影者はホワイトバランス調節の度合いを変化させた後にシャッターボタンを操作するだけで撮影を行うことができるため、利便性を向上させることができる。
【００４６】
（３）表示画像生成部１５は、撮影者が行うマルチセレクタ１０５の上下ボタンの操作に応じた撮像画像のホワイトバランスの調節度合いの変化状態を示すホワイトバランスインジケータ１６４を液晶ディスプレイ１６においてスルー画像と共に表示するための表示用画像データを生成する。したがって、現在のホワイトバランスの調節度合いの変化状態を撮影者に分かりやすく知らせることができる。
【００４７】
（４）料理モードが選択されると、マクロモードを設定する（ステップＳ３０）ことにより、レンズ駆動部９において撮影光学系２の焦点調節をマクロモードで行うようにする。したがって、料理に近づいて撮影する際に適した焦点調節を行うことができる。
【００４８】
（５）料理モードが選択されると、制御部１２により撮影時のフラッシュ１１の発光を禁止する（ステップＳ２０）ようにしたので、レストラン等で料理を撮影する際に誤ってフラッシュ発光してしまうのを防止できる。
【００４９】
（６）料理モードが選択されると、撮影者が行うマルチセレクタ１０５の上下左右いずれかのボタンの操作に応じて、焦点調節エリアを変更する（ステップＳ２５０）。これにより、レンズ駆動部９において、液晶ディスプレイ１６に表示されたスルー画像上で撮影者がマルチセレクタ１０５を操作して指定した部分を対象に、撮影光学系２の焦点調節を行うようにした。したがって、料理に近づいて撮影する際に、撮影者の意図に合わせて焦点調節を行うことができる。
【００５０】
（７）料理モードが選択されると、色調設定をビビッドカラーにすることで（ステップＳ４０）、画像処理部８が行う色調の調節において撮像画像の色調を強調するようにした。したがって、料理の色彩を鮮やかに表現した撮像画像を得ることができる。
【００５１】
なお、上記実施の形態では料理モードを例に説明したが、本発明はこれに限定されない。撮影時の照明環境に関わらず、撮影者の意図に合わせて適切にホワイトバランスを調節できるようにするための所定の撮影モードを設け、その撮影モードが選択されたときに上記のような処理を実行することとしてもよい。
【図面の簡単な説明】
【００５２】
【図１】一実施の形態によるデジタルカメラの構成を示す図である。
【図２】一実施の形態によるデジタルカメラの外観を示す図である。
【図３】一実施の形態によるデジタルカメラにおいて実行される処理のフローチャートである。
【符号の説明】
【００５３】
１  デジタルカメラ
２  撮影光学系
４  撮像素子
８  画像処理部
９  レンズ駆動部
１０  操作部
１１  フラッシュ
１２  制御部
１５  表示画像生成部
１６  液晶ディスプレイ
【図１】
0005256752.tif 000002
【図２】
0005256752.tif 000003
【図３】
0005256752.tif 000004